(57)【要約】【課題】複数のマットレス部に分解して取り扱いの容易化を図り、しかも使用時には分解されていても性能が低下することのないようにしたこと。【解決手段】複数のマットレス部５，６に分割されこれらマットレス部が端面を接触させて並設されるマットレス本体４と、並設された複数のマットレス部の隣り合う側面を分解可能かつ接触する上記端面の接触圧力を調整可能に連結したバックル１３を具備する。【選択図】      図２
2011229623.tif 000002
【特許請求の範囲】
【請求項１】
複数のマットレス部に分割されたマットレス本体と、
各マットレス部の側面に設けられ分割された複数のマットレス部を並設して使用するとき、隣り合うマットレス部をこれらマットレス部の端面の接触圧力の調整可能に連結する連結手段と
を具備したことを特徴とするマットレス装置。
【請求項２】
上記マットレス部は２つであって、各マットレス部は折り畳み可能に連結された２つのクッション部によって構成されていることを特徴とする請求項１記載のマットレス装置。
【請求項３】
上記連結手段は、第１の連結具と第２の連結具とが着脱可能に連結されるバックルであって、
一方のマットレス部には、一方のクッション部の側面の端部に第１の連結具、他方のクッション部の側面の端部に第２の連結具が設けられ、
他方のマットレス部には、２つのマットレス部を並設したときに一方のマットレス部の他方のクッション部の側面に設けられた第２の連結具に連結される第１の連結具、他方のクッション部の側面の端部に第１の連結具が設けられていて、
２つのマットレス部を分解した状態で各マットレス部を折り畳んだときには、各マットレス部のクッション部の側面に設けられた第１の連結具と第２の連結具が連結可能であることを特徴とする請求項２記載のマットレス装置。
【請求項４】
上記第１の連結具と第２の連結具は、一端が上記クッション部の側面に回動可能に連結された連結部材の他端に設けられていることを特徴とする請求項３記載のマットレス装置。
【請求項５】
各マットレス部のクッション部は、弾性材料によって形成された枠状部材と、この枠状部材の内部に並設されたばね部材と、上記枠状部材を収容した袋状の外装地とによって構成されていて、隣り合う一対のクッション部は上記外装地によってこれら一対のクッション部が折り畳み可能に連結されていることを特徴とする請求項１乃至４のいずれかに記載のマットレス装置。
【請求項６】
複数のマットレス部に分割されたマットレス本体と、
各マットレス部の側面に設けられ分割された複数のマットレス部を並設して使用するとき、隣り合うマットレス部をこれらマットレス部の端面の接触圧力の調整可能に連結する連結手段を具備し、
上記連結手段は着脱可能に連結される第１の連結具と第２の連結具とによって構成されていて、
上記第１の連結具と第２の連結具は、それぞれ一端が上記マットレス部の側面に回動可能に連結された連結部材の他端に設けられることを特徴とするマットレス装置。
【発明の詳細な説明】
【技術分野】
【０００１】
この発明は運搬時や収容時の取り扱いが容易に行なえるようにしたマットレス装置に関する。
【背景技術】
【０００２】
一般に、マットレス装置は利用者の身長よりも大きな長さ寸法に形成されているため、その長さ寸法は２メートル程度になってしまう。マットレス装置が２メートル程度の長尺な寸法であると、出荷の際の運搬や倉庫などでの収容に際して取り扱いが不便であるという問題が生じる。
【０００３】
そこで、マットレス装置を複数に分割して構成し、運搬や収容に際して取り扱いが容易に行なえるようにすることが考えられている。特許文献１にはマットレス装置を複数の分割できるようにした構成が示されている。
【０００４】
すなわち、特許文献１に示されたマットレス装置はマットレスを複数の小マットに分割し、使用時には複数の小マットを並設するようにしている。隣り合う小マットの対向する端面にはそれぞれ面ファスナが設けられている。それによって、使用時には並設された複数の小マットの対向する端面の面ファスナを着脱可能に連結することで、これら小マットを一体化するようにしている。
【先行技術文献】
【特許文献】
【０００５】
【特許文献１】実用新案登録第３００９３３５号公報
【発明の概要】
【発明が解決しようとする課題】
【０００６】
ところで、マットレスを複数の小マットに分割し、隣り合う小マットの端面を面ファスナによって分解可能に連結する構成にすると、上記マットレスを複数の小マットに分解したり、分解された複数の小マットを連結してマットレスとするなどのことができるから、出荷の際の運搬や倉庫などに収容する際の取り扱いを容易に行なうことが可能となる。
【０００７】
しかしながら、複数の小マットを連結してマットレスとし、そのマットレスの上面に利用者が仰臥して利用する際、隣り合う小マットの対向する端面を単に面ファスナによって連結するだけでは、連結部分の連結強度が十分に得られない。
【０００８】
そのため、連結部分に加わる利用者の荷重などによって小マットの連結状態が損なわれたり、連結部分のクッション性能が他の部分と異なってしまうなどのことがあるから、マットレスとしての性能が十分に得られないということがある。
【０００９】
この発明は、複数のマットレス部に分割して取り扱いの容易化を図ると同時に、複数のマットレス部を並設して利用するとき、隣り合うマットレス部の連結状態が損なわれることがないようにしたマットレス装置を提供することにある。
【課題を解決するための手段】
【００１０】
この発明は、複数のマットレス部に分割されたマットレス本体と、
各マットレス部の側面に設けられ分割された複数のマットレス部を並設して使用するとき、隣り合うマットレス部をこれらマットレス部の端面の接触圧力の調整可能に連結する連結手段と
を具備したことを特徴とするマットレス装置にある。
【００１１】
上記マットレス部は２つであって、各マットレス部は折り畳み可能に連結された２つのクッション部によって構成されていることが好ましい。
【００１２】
上記連結手段は、第１の連結具と第２の連結具とが着脱可能に連結されるバックルであって、
一方のマットレス部には、一方のクッション部の側面の端部に第１の連結具、他方のクッション部の側面の端部に第２の連結具が設けられ、
他方のマットレス部には、２つのマットレス部を並設したときに一方のマットレス部の他方のクッション部の側面に設けられた第２の連結具に連結される第１の連結具、他方のクッション部の側面の端部に第１の連結具が設けられていて、
２つのマットレス部を分解した状態で各マットレス部を折り畳んだときには、各マットレス部のクッション部の側面に設けられた第１の連結具と第２の連結具が連結可能であることが好ましい。
【００１３】
上記第１の連結具と第２の連結具は、一端が上記クッション部の側面に回動可能に連結された連結部材の他端に設けられていることが好ましい。
【００１４】
各マットレス部のクッション部は、弾性材料によって形成された枠状部材と、この枠状部材の内部に並設されたばね部材と、上記枠状部材を収容した袋状の外装地とによって構成されていて、隣り合う一対のクッション部は上記外装地によってこれら一対のクッション部が折り畳み可能に連結されていることが好ましい。
【００１５】
この発明は、複数のマットレス部に分割されたマットレス本体と、
各マットレス部の側面に設けられ分割された複数のマットレス部を並設して使用するとき、隣り合うマットレス部をこれらマットレス部の端面の接触圧力の調整可能に連結する連結手段を具備し、
上記連結手段は着脱可能に連結される第１の連結具と第２の連結具とによって構成されていて、
上記第１の連結具と第２の連結具は、それぞれ一端が上記マットレス部の側面に回動可能に連結された連結部材の他端に設けられることを特徴とするマットレス装置にある。
【発明の効果】
【００１６】
この発明によれば、分割された複数のマットレス部を並設して使用する際、隣り合うマットレス部を、これらマットレス部の端面の接触圧力の調整可能に連結できるようにしたから、使用時に隣り合うマットレス部の連結状態が損なわれることがないばかりか、隣り合うマットレス部の連結部分のクッション状態を、他の部分と違和感が生じないよう調整することが可能となる。
【図面の簡単な説明】
【００１７】
【図１】この発明の一実施の形態のマットレス装置をベッド装置に使用した状態の斜視図。
【図２】図１に示すマットレス装置の側面図。
【図３】隣り合うマットレス部のそれぞれ一方のクッション部の連結部分を示す斜視図。
【図４】２つのマットレス部を分解して折り畳んだ状態で積み重ねた斜視図。
【図５】分解されて折り畳まれたマットレス部を立てた状態を示す斜視図。
【図６】２つのマットレス部をバックルを外さずに折り畳んだ状態を示す斜視図。
【発明を実施するための最良の形態】
【００１８】
以下、この発明の一実施の形態を図面を参照しながら説明する。
【００１９】
図１はこの発明の実施の形態のマットレス装置Ｍが使用されたベッド装置Ｂを示す斜視図である。このベッド装置Ｂはベッド本体１を備えている。このベッド本体１はベッドフレーム２と、このベッドフレーム２の長手方向一端に立設されたヘッドボード３によって構成されている。
【００２０】
上記ベッドフレーム２の内部には図示しない床板が架設され、この床板上には上記マットレス装置Ｍが載置される。このマットレス装置Ｍはマットレス本体４を有し、このマットレス本体４は分割された２つのマットレス部、つまり第１のマットレス部５と第２のマットレス部６によって構成されている。各マットレス部５，６はさらに２つのクッション部５ａ，６ａに分割されている。
【００２１】
各クッション部５ａ，６ａは図１に一部破断して示すように比較的硬質なウレタンフォームなどの弾性材料によって形成された枠状部材８と、この枠状部材８の内部に行列状に収容された、たとえばポケットコイルなどのばね部材９と、上記枠状部材８を収容した袋状の外装地１１とによって構成されている。  
なお、図示はしないが、ばね部材９が収容された枠状部材８の上下面にはサイザルなどの保護部材と弾性シートが積層される。
【００２２】
第１、第２のマットレス部５，６の各一対のクッション部５ａ，５ａ及び６ａ，６ａの外装地１１は、各一対のクッション部５ａ，５ａ及び６ａ，６ａの端面の厚さ方向の一端がそれぞれ全長にわたって連結されている。それによって、第１、第２のマットレス部５，６の各一対のクッション部５ａ，５ａ及び６ａ，６ａは連結部分を支点として重なるように折り畳むことができるようになっている。
【００２３】
各一対のクッション部５ａ，５ａ及び６ａ，６ａをそれぞれ折り畳み可能に連結するには、上記外装地１１をそれぞれ一対のクッション部５ａ，５ａ及び６ａ，６ａ毎に分割して縫製した後、これらクッション部５ａ，５ａ及び６ａ，６ａの端面の厚さ方向の一端を全長にわたって縫合してもよいが、この実施の形態では外装地１１の一対のクッション部５ａ，５ａ及び６ａ，６ａの上面を覆う部分を１枚の布地とすることで、この布地によって各一対のクッション部５ａ，５ａ及び６ａ，６ａを折り畳み可能に連結するようにしている。
【００２４】
このように構成された第１マットレス部５と第２のマットレス部６の両側面には連結手段としてのバックル１３が後述する配置状態で設けられる。図２と図３に示すように、バックル１３は着脱可能な第１の連結具としてのオス連結具１３ａと第２の連結具としてのメス連結具１３ｂとによって構成されている。これら連結具１３ａ，１３ｂは、キャンバスなどの可撓性の材料によって形成された帯状の連結部材１４の一端に設けられている。
【００２５】
一端に各連結具１３ａ，１３ｂが設けられた連結部材１４の他端は、各クッション部５ａ，６ａの側面にハト目などの取付け具１５によって回動可能に連結されている。
【００２６】
上記バックル１３の取付け状態を図２と図３を参照しながら具体的に説明する。まず、第１のマットレス部５には、その一対のクッション部５ａのうち、図１に示すヘッドボード３側に位置する一方のクッション部５ａの側面の長手方向の一端にオス連結具１３ａが設けられた連結部材１４が取付け具１５によって回動可能に取り付けられ、他方のクッション部５ａの側面の長手方向の他端にメス連結具１３ｂが設けられた連結部材１４が都立敬具１５によって回動可能に取り付けられている。
【００２７】
第２のマットレス部６には、その一対のクッション部６ａのうち、上記ヘッドボード３側に位置する一方のクッション部５ａの側面の長手方向の一端にオス連結具１３ａが設けられた連結部材１４が回動可能に取り付けられ、他方のクッション部５ａの側面の長手方向の他端にメス連結具１３ｂが設けられた連結部材１４が回動可能に取り付けられている。
【００２８】
上記メス連結具１３ｂを連結した上記連結部材１４は、一端部を上記メス連結具１３ｂとの連結部分で折り返されて長さ調整可能に連結されている。したがって、上記連結部材１４の折り返し部分１４ａを上記メス連結具１３ｂに対して押し引きすれば、上記連結部材１４による上記メス連結具１３ｂの取付け長さを調整することができるようになっている。
【００２９】
上記構成のマットレス装置Ｍは、図１と図２に示すように第１、第２のマットレス部５，６のそれぞれ一対のクッション部５ａ，５ａ及び６ａ，６ａを水平に展開し、これらクッション部を一列に並設して使用される。
【００３０】
その際、端面を対向させた第１のマットレス部５の他方のクッション部５ａと、第２のマットレス部６の一方のクッション部６ａとの側面に設けられたメス連結具１３ｂとオス連結部１３ａを連結する。
【００３１】
メス連結具１３ｂとオス連結部１３ａを連結したならば、メス連結具１３ｂが設けられた連結部材１４の折り返し部分１４ａを引いて上記連結部材１４によるメス連結具１３ｂの取付け長さを調整する。つまり、第１のマットレス部５と第２のマットレス部６を単に連結するだけでなく、連結されたときの各マットレス部５，６のクッション部５ａと６ａとの端面の圧接力を調整する。
【００３２】
それによって、使用時に並設された第１のマットレス部５と第２のマットレス部６との連結部分に利用者の荷重などによって大きな隙間が生じて連結状態が損なわれ、マットレスＭの性能低下を招くのを確実に防止することができる。
【００３３】
しかも、各マットレス部５，６のクッション部５ａと６ａの端面の圧接力を調整することで、これらクッション部５ａと６ａの端面の接触部分、つまり第１のマットレス部５と第２のマットレス部６との連結部分のクッション性能を変えることができる。
【００３４】
たとえば、クッション部５ａと６ａの端面の圧接力を強くすれば、各マットレス５，６の連結部分を硬くすることができ、逆に圧接力を弱くすれば柔らかくすることができる。つまり、各マットレス５，６の連結部分のクッション性能を調整することができる。
【００３５】
したがって、マットレス装置Ｍを２つのマットレス部５，６に分割しても、使用時には並設された２つのマットレス部５，６の接続部分に違和感が生じ難い状態に、連結部分の硬さを調整することができるから、マットレス装置Ｍの性能向上を図ることができる。
【００３６】
各マットレス部５，６のクッション部５ａ，５ａ及び６ａ，６ａは、比較的硬質な枠状部材８内にばね部材９を収容して構成している。それによって、枠状部材８の硬さでクッション部５ａ，５ａ及び６ａ，６ａの周辺部に程よい硬さを持たせることができるようにしている。
【００３７】
そのため、クッション部５ａ，５ａ及び６ａ，６ａの周縁部を枠線で補強して硬さを持たせる場合のように、枠線の局部的な硬さが利用者に伝わることがないから、そのことによってもマットレス装置Ｍの性能向上を図ることができる。
【００３８】
上記構成のマットレス装置Ｍは、不使用時には図４に示すように連結された一対のマットレス部５，６を分解し、各マットレス部５，６の一対のクッション部５ａ，５ａ及び６ａ，６ａを折り畳む。クッション部５ａ，５ａ及び６ａ，６ａを折り畳むことで、これらクッション部５ａ，５ａ及び６ａ，６ａの端面の長手方向の一端と他端にそれぞれ設けられたオス連結具１３ａとメス連結具１３ｂが上下方向に対向位置するから、これら連結具１３ａ，１３ｂを連結すれば、各一対のクッション部５ａ，５ａ及び６ａ，６ａを折り畳んだ状態で展開不能に保持することができる。
【００３９】
したがって、持ち運び時や収納時などに各一対のクッション部５ａ，５ａ及び６ａ，６ａの折り畳まれた状態が損なわれることがないから、マットレス部５，６を容易に取り扱うことができるようになる。
【００４０】
また、マットレス装置Ｍを２つのマットレス部５，６に分割し、さらに各マットレス部５，６を折り畳み可能な２つのクッション部５ａ，６ａによって構成した。
【００４１】
そのため、図５に示すように不使用時に折り畳まれた各マットレス部５，６を立てれば、その奥行き寸法Ｄがマットレス装置Ｍの長さ寸法の４分の１になるから、その状態で、たとえば奥行き寸法が比較的小さな家庭のクローゼットなどに収容することが可能となる。
【００４２】
上記実施の形態では、不使用時にマットレス装置Ｍを２つのマットレス部５，６に分解して折り畳むことで、それぞれのマットレス部５，６をマットレス装置Ｍの４分の１の長さ寸法にして取り扱うことができるようにしたが、図２に鎖線で示すように連結された２つのマットレス部５，６を分解せずに、第２のマットレス６を第１のマットレス部５に重なるよう折り畳む。
【００４３】
そのとき、２つのマットレス部５，６を連結したオス連結具１３ａとメス連結具１３ｂが取り付けられた連結部材１４は、図６に示すように取付け具１５を支点として回動するから、これら連結具１３ａ，１３ｂを取り外すことなく、第２のマットレス６を第１のマットレス部５に重なるよう折り畳むことができる。
【００４４】
このようにすれば、連結部材１４のオス連結具１３ａとメス連結具１３ｂを外すことなく、マットレス装置Ｍを使用状態のときの長さ寸法の２分の１の長さにして取り扱うことができる。さらに、折り畳まれた２つのマットレス部５，６は、連結部材１４のオス連結具１３ａとメス連結具１３ｂが連結された状態で展開することもできる。
【００４５】
なお、上記一実施の形態では連結手段としてオス連結具とメス連結具からなるバックルを例に挙げて説明したが、連結手段はバックルに限定されず、たとえば着脱可能に連結される第１の面状ファスナと第２の面状ファスナであっても差し支えない。
【符号の説明】
【００４６】
４…マットレス本体、５…第１のマットレス部、６…第２のマットレス部、５ａ，６ａ…クッション部、８…枠状部材、９…ばね部材、１１…外装地、１３…バックル（連結手段）、１３ａ…オス連結具（第１の連結具）、１３ａ…メス連結具（第２の連結具）、１４…連結部材、１５…取付け具。
【図１】
2011229623.tif 000003
【図２】
2011229623.tif 000004
【図３】
2011229623.tif 000005
【図４】
2011229623.tif 000006
【図５】
2011229623.tif 000007
【図６】
2011229623.tif 000008